(57)【特許請求の範囲】
【請求項１】
電流センサ機能を備えたコネクタであって、
相手側コンタクトと接続される前端部を有すると共に、前後方向に沿って延びるコンタクトと、
絶縁性材料からなる保護部材であって、前記前後方向と直交する平面内において前記コンタクトを取り囲む保護部材と、
ギャップを有すると共に、前記前後方向と直交する平面内において前記保護部材を取り囲むコアと、
前記ギャップ内に少なくとも部分的に配置される電流検出部材と、
保持孔が形成されたホルダーとを備えており、
前記コア及び前記電流検出部材は、前記保持孔に保持されており、
前記コンタクトは、前記前後方向に沿って前記保持孔を貫通しており、
前記保護部材は、前記保持孔に受容されている
コネクタ。
【請求項２】
請求項１記載のコネクタであって、
前記ホルダーは、前記前後方向と直交する平面内において矩形形状を有している
コネクタ。
【請求項３】
請求項１又は請求項２記載のコネクタであって、
金属製のハウジングを、更に備えており、
前記ハウジングは、前記ホルダーを保持している
コネクタ。
【請求項４】
請求項１乃至請求項３のいずれかに記載のコネクタであって、
前記保護部材は、前記前後方向において前記コアを超えて後方に突出している
コネクタ。
【請求項５】
請求項１乃至請求項４のいずれかに記載のコネクタであって、
前記コンタクトの前記前後方向における後端部にはネジが形成されている
コネクタ。
【請求項６】
請求項５記載のコネクタであって、
前記コンタクトの前記ネジが形成されている部位の前側には、前記前後方向を中心軸とする前記コンタクトの回転を規制する第１規制部が設けられている
コネクタ。
【請求項７】
請求項６記載のコネクタであって、
前記第１規制部の回転を規制する部位を更に備えている
コネクタ。
【請求項８】
請求項１乃至請求項７のいずれかに記載のコネクタであって、
インシュレータを、更に備えており、
前記保護部材は、前記インシュレータの一部である
コネクタ。
【請求項９】
請求項８記載のコネクタであって、
前記インシュレータは、前記前後方向と直交する平面内において前記コンタクトを取り囲むようにして、前記保護部材から前方に延びている
コネクタ。
【請求項１０】
請求項８又は請求項９記載のコネクタであって、
前記インシュレータには、前記前後方向を中心軸とする前記インシュレータの回転を規制する第２規制部が設けられている
コネクタ。
【請求項１１】
請求項１０記載のコネクタであって、
前記第２規制部の回転を規制する部位を更に備えている
コネクタ。
【請求項１２】
請求項１乃至請求項１１のいずれかに記載のコネクタであって、
前記コンタクトは、ピンコンタクトである
コネクタ。
【請求項１３】
請求項１乃至請求項１１のいずれかに記載のコネクタであって、
前記コンタクトは、ソケットコンタクトである
コネクタ。
【請求項１４】
２つ以上のコネクタと、１つの金属製のハウジングと、１つのホルダーとを備えるコネクタ組立体であって、
前記コネクタは、電流センサ機能を備えており、
前記コネクタは、
相手側コンタクトと接続される前端部を有すると共に、前後方向に沿って延びるコンタクトと、
絶縁性材料からなる保護部材であって、前記前後方向と直交する平面内において前記コンタクトを取り囲む保護部材と、
ギャップを有すると共に、前記前後方向と直交する平面内において前記保護部材を取り囲むコアと、
前記ギャップ内に少なくとも部分的に配置される電流検出部材とを備えており、
前記ホルダーは、前記ハウジングに保持されており、
前記ホルダーには、前記２つ以上のコネクタと夫々対応する保持孔が形成されており、
前記２つ以上のコネクタの夫々の前記コア及び前記電流検出部材は、対応する前記保持孔に保持されており、
前記２つ以上のコネクタの夫々の前記コンタクトは、対応する前記保持孔を前記前後方向に沿って貫通しており、
前記２つ以上のコネクタの夫々の前記保護部材は、対応する前記保持孔に受容されている
コネクタ組立体。
【発明の詳細な説明】
【技術分野】
【０００１】
本発明は、電流センサ機能を備えたコネクタに関する。
【背景技術】
【０００２】
このタイプのコネクタは、例えば特許文献１に開示されている。図１４（ａ）及び図１４（ｂ）に示されるように、特許文献１に開示された電流センサ内蔵コネクタ（コネクタ）は、フェライトビーズ（コア）とホール素子（電流検出部材）と、電線に固定された端子（コンタクト）とを備えている。電線は、コアの内部を貫通してコネクタ外部に延びており、電線に流れる電流は電流検出部材によって検出される。
【先行技術文献】
【特許文献】
【０００３】
【特許文献１】特許第３３５１５０２号公報
【発明の概要】
【発明が解決しようとする課題】
【０００４】
コンタクトと電線とを固定的に接続するのでなく、コンタクトに様々な接続対象物（例えば、バスバーやラグ端子付き電線）を交換可能に接続できれば好ましい。しかしながら、特許文献１のコネクタにおいては、コンタクトが、電線に固定された状態でコネクタの内部に収容されている。従って、特許文献１のコンタクトには、電線以外の接続対象物を付け替えることができない。
【０００５】
また、特許文献１のコネクタにおいては、電線が引っ張られると、電線とコアとの位置関係がずれ、これによって電流の検出精度が悪化する。詳しくは、電線がコアの中央から外れた状態においては、電流の検出値が不正確になり、電線が引っ張られて動いている状態においては、電流の検出値が変動する。
【０００６】
以上の問題を解決する方法として、コアの内部にコンタクトを通過させることが考えられる。しかしながら、電流センサ機能を備えたコネクタには、一般的に高電圧の大電流が流される。従って、仮に特許文献１のコンタクトを、コアの内部を貫通するようにしてコネクタ外部に延ばすと、コンタクトとコアとの間で絶縁破壊が生ずるおそれがある。
【０００７】
そこで、本発明は、電流センサ機能を備えたコネクタであって、絶縁破壊を防止しつつコンタクトに様々な接続対象物を交換可能に接続することができるコネクタを提供することを目的とする。
【課題を解決するための手段】
【０００８】
本発明は、第１のコネクタとして、
電流センサ機能を備えたコネクタであって、
相手側コンタクトと接続される前端部を有すると共に、前後方向に沿って延びるコンタクトと、
絶縁性材料からなる保護部材であって、前記前後方向と直交する平面内において前記コンタクトを取り囲む保護部材と、
ギャップを有すると共に、前記前後方向と直交する平面内において前記保護部材を取り囲むコアと、
前記ギャップ内に少なくとも部分的に配置される電流検出部材とを備える
コネクタを提供する。
【０００９】
本発明は、第２のコネクタとして、第１のコネクタであって、
保持孔が形成されたホルダーを、更に備えており、
前記コア及び前記電流検出部材は、前記保持孔に保持されており、
前記コンタクトは、前記前後方向に沿って前記保持孔を貫通しており、
前記保護部材は、前記保持孔に受容されている
コネクタを提供する。
【００１０】
本発明は、第３のコネクタとして、第２のコネクタであって、
前記ホルダーは、前記前後方向と直交する平面内において矩形形状を有している
コネクタを提供する。
【００１１】
本発明は、第４のコネクタとして、第２又は第３のコネクタであって、
金属製のハウジングを、更に備えており、
前記ハウジングは、前記ホルダーを保持している
コネクタを提供する。
【００１２】
本発明は、第５のコネクタとして、第１乃至第４のいずれかのコネクタであって、
前記保護部材は、前記前後方向において前記コアを超えて後方に突出している
コネクタを提供する。
【００１３】
本発明は、第６のコネクタとして、第１乃至第５のいずれかのコネクタであって、
前記コンタクトの前記前後方向における後端部にはネジが形成されている
コネクタを提供する。
【００１４】
本発明は、第７のコネクタとして、第６のコネクタであって、
前記コンタクトの前記ネジが形成されている部位の前側には、前記前後方向を中心軸とする前記コンタクトの回転を規制する第１規制部が設けられている
コネクタを提供する。
【００１５】
本発明は、第８のコネクタとして、第７のコネクタであって、
前記第１規制部の回転を規制する部位を更に備えている
コネクタを提供する。
【００１６】
本発明は、第９のコネクタとして、第１乃至第８のいずれかのコネクタであって、
インシュレータを、更に備えており、
前記保護部材は、前記インシュレータの一部である
コネクタを提供する。
【００１７】
本発明は、第１０のコネクタとして、第９のコネクタであって、
前記インシュレータは、前記前後方向と直交する平面内において前記コンタクトを取り囲むようにして、前記保護部材から前方に延びている
コネクタを提供する。
【００１８】
本発明は、第１１のコネクタとして、第９又は第１０のコネクタであって、
前記インシュレータには、前記前後方向を中心軸とする前記インシュレータの回転を規制する第２規制部が設けられている
コネクタを提供する。
【００１９】
本発明は、第１２のコネクタとして、第１１のコネクタであって、
前記第２規制部の回転を規制する部位を更に備えている
コネクタを提供する。
【００２０】
本発明は、第１３のコネクタとして、第１乃至第１２のいずれかのコネクタであって、
前記コンタクトは、ピンコンタクトである
コネクタを提供する。
【００２１】
本発明は、第１４のコネクタとして、第１乃至第１３のいずれかのコネクタであって、
前記コンタクトは、ソケットコンタクトである
コネクタを提供する。
【００２２】
本発明は、第１のコネクタ組立体として、
第１のコネクタを２つ以上備え、且つ、１つの金属製のハウジングと、１つのホルダーとを備えるコネクタ組立体であって、
前記ホルダーは、前記ハウジングに保持されており、
前記ホルダーには、前記２つ以上のコネクタと夫々対応する保持孔が形成されており、
前記２つ以上のコネクタの夫々の前記コア及び前記電流検出部材は、対応する前記保持孔に保持されており、
前記２つ以上のコネクタの夫々の前記コンタクトは、対応する前記保持孔を前記前後方向に沿って貫通しており、
前記２つ以上のコネクタの夫々の前記保護部材は、対応する前記保持孔に受容されている
コネクタ組立体を提供する。
【発明の効果】
【００２３】
本発明によれば、コンタクトとコアとの間に、絶縁性材料からなる保護部材が配置される。従って、絶縁破壊を防止しつつコンタクトをコネクタ外部に突出させることができ、これによりコンタクトに様々な接続対象物を接続することが可能になる。
【図面の簡単な説明】
【００２４】
【図１】本発明の第１の実施の形態によるコネクタを示す斜視図である。
【図２】図１のコネクタと、コネクタに取り付けられるバスバーとを示す分解斜視図である。
【図３】図２のコネクタのホルダーとコアとホールＩＣとを示す拡大斜視図である。
【図４】図１のコネクタを示す正面図である。
【図５】図１のコネクタを示す上面図である。
【図６】図４のコネクタをVI-VI線に沿って示す断面図である。なお、コンタクトのネジの外形は描画していない。
【図７】図５のコネクタをVII-VII線に沿って示す断面図である。
【図８】本発明の第２の実施の形態によるコネクタ組立体を示す斜視図である。
【図９】図８のコネクタ組立体を示す分解斜視図である。
【図１０】図８のコネクタ組立体を示す上面図である。
【図１１】図１０のコネクタ組立体をXI-XI線に沿って示す断面図である。
【図１２】図８のコネクタ組立体を示す正面図である。
【図１３】図１２のコネクタ組立体をXIII-XIII線に沿って示す断面図である。なお、コンタクトのネジの外形は描画していない。
【図１４】図１４（ａ）は、従来のコネクタの一例を示す断面図である。図１４（ｂ）は、図１４（ａ）のコネクタを示す正面図である。
【発明を実施するための形態】
【００２５】
（第１の実施の形態）
図１及び図２に示されるように、本発明の第１の実施の形態によるコネクタ１０は、導電性材料からなるピンコンタクト（コンタクト）２０と、絶縁性材料からなるインシュレータ４０と、絶縁性材料からなるホルダー５０と、軟磁性材料からなるコア６０と、ホールＩＣ（電流検出部材）７０と、金属製のハウジング８０と、金属製のナット９０とを備えている。
【００２６】
図２に示されるように、コンタクト２０は、Ｘ方向（前後方向）に沿って円柱状に長く延びており、Ｘ方向において前端部２２（即ち、−Ｘ側の端部）と後端部２４（即ち、＋Ｘ側の端部）とを有している。また、コンタクト２０は、前端部２２と後端部２４との間に形成された第１規制部２８を有している。本実施の形態による第１規制部２８は、Ｘ方向と直交する平面内においてコンタクト２０から突出しており、これにより六角形状に形成されている。
【００２７】
図１及び図２から理解されるように、コンタクト２０の前端部２２は、相手側コネクタ（図示せず）の相手側コンタクト（図示せず）と接続される部位である。
【００２８】
図２及び図５から理解されるように、コンタクト２０の後端部２４は、接続対象物（例えば、バスバーやラグ端子付き電線）と接続される部位である。詳しくは、コンタクト２０の後端部２４は、インシュレータ４０及びホルダー５０の内部を通過して、コネクタ１０の後方に向かって（即ち、＋Ｘ方向に沿って）突出している。後端部２４にはネジ２６が形成されており、ナット９０によってコンタクト２０をインシュレータ４０及びホルダー５０に固定することができる。更に、ホルダー５０とナット９０との間に接続対象物（例えば、バスバー９２）を挟み込むようにして、コンタクト２０の後端部２４を接続対象物に接続することができる。
【００２９】
図２及び図６に示されるように、インシュレータ４０は、Ｘ方向に延びる円筒形状に形成されている。詳しくは、インシュレータ４０は、比較的大きな外径を有する主部４１（即ち、−Ｘ側の部位）と、比較的小さな外径を有する保護部材４２（即ち、＋Ｘ側の部位）とを備えている。主部４１の後端部（＋Ｘ側の端部）の一部は切欠かれており、これにより第２規制部４８が形成されている。
【００３０】
図２、図４及び図６に示されるように、インシュレータ４０の内部には、コンタクト２０を収容する収容孔４４が形成されている。収容孔４４は、インシュレータ４０をＸ方向に貫通している。収容孔４４の内部において、主部４１の後端部は、＋Ｘ方向に凹んでおり、これにより凹部４６が形成されている。
【００３１】
図４及び図６に示されるように、収容孔４４のうち主部４１の内部に位置する部分の内径は、コンタクト２０の第１規制部２８の外径よりも大きい。一方、収容孔４４のうち保護部材４２の内部に位置する部分の内径は、第１規制部２８の外径よりも小さく、コンタクト２０の後端部２４の直径よりも僅かに大きい。また、凹部４６の上下方向（Ｚ方向）における長さ（Ｌ２）は、第１規制部２８の対向する２辺の間の長さ（Ｌ１）よりも僅かに長い。更に、凹部４６の左右方向（Ｙ方向）における長さは、第１規制部２８の外径よりも長い。
【００３２】
従って、第１規制部２８が凹部４６に受容されるようにして、コンタクト２０の後端部２４を、後方に向かって収容孔４４に挿入することができる。第１規制部２８が凹部４６に受容されると、コンタクト２０をネジ止めする際に、Ｘ方向を中心軸とするコンタクト２０の回転が規制される。換言すれば、本実施の形態によれば、コンタクト２０のネジ２６が形成されている部位の前側（−Ｘ側）には、Ｘ方向を中心軸とするコンタクト２０の回転を規制する第１規制部２８が設けられている。更に、本実施の形態によるコネクタ１０は、第１規制部２８の回転を規制する部位（即ち、第１規制部２８と対応する部位である凹部４６）を備えている。以上の説明から理解されるように、第１規制部２８の形状は六角形状に限られない。第１規制部２８は、例えば四角形状であってもよい。
【００３３】
図２及び図３に示されるように、本実施の形態によるホルダー５０は、Ｘ方向と直交する平面内において矩形形状を有している。ホルダー５０には、ホルダー５０をＸ方向に貫通する保持孔５２が形成されている。保持孔５２は、＋Ｘ側の直径が−Ｘ側の直径に比べて小さくなるように形成されている。より具体的には、保持孔５２のＸ方向における中間部分は、保持孔５２のＸ方向と平行に延びる中心軸に向かって張り出しており、これにより張出部５８が形成されている。保持孔５２の上端（即ち、＋Ｚ側の端部）付近には、保持溝５４が形成されている。保持溝５４は、保持孔５２から上方に向かって（即ち、＋Ｚ方向に沿って）延びている。保持溝５４のＹ方向両側部分は、下方に向かって（即ち、−Ｚ方向に沿って）突出している。保持溝５４の上端には、複数の端子孔５６が形成されている。端子孔５６の夫々は、保持溝５４から更に上方に向かって延びており、ホルダー５０をＺ方向に貫通している。
【００３４】
本実施の形態によるコア６０は、フェライト、珪素鋼板、圧粉磁性体、アモルファス等から形成されており、部分的に切欠かれたリング形状を有している。換言すれば、コア６０は、磁場を発生させるためのギャップ６２を有している。
【００３５】
本実施の形態によるホールＩＣ７０は、本体部７２と、複数の端子７４とを備えている。本体部７２は、磁場中に置かれると電流を検出する。端子７４は、本体部７２から上方に延びており、外部の電子回路（図示せず）と接続される。端子７４は、入力端子、出力端子等からなり、出力端子は、本体部７２が検出した電流値を外部の電子回路（図示せず）に出力する。なお、本実施の形態によるホールＩＣ７０は、５本の端子７４を備えているが、端子７４の数は５本には限られない。また、電流検出部材７０は、コア６０と組み合わせることで電流を検出可能であれば、ホールＩＣ７０でなくてもよい。
【００３６】
図１乃至図３及び図７から理解されるように、ホールＩＣ７０の本体部７２は、端子７４が端子孔５６に夫々挿入されるようにして、ホルダー５０の保持溝５４に保持されている。端子７４の上端部分（即ち、＋Ｚ側の端部）は、ホルダー５０の上方に突出している。
【００３７】
図２、図３、図６及び図７から理解されるように、コア６０は、ホルダー５０の前方から、張出部５８と突き当たるようにして保持孔５２に嵌め込まれている。ホールＩＣ７０の本体部７２は、Ｙ方向においてコア６０のギャップ６２の間に位置している。換言すれば、コア６０及びホールＩＣ７０は、保持孔５２に保持されている。より具体的には、コア６０及びホールＩＣ７０は、例えば保持孔５２に接着又は圧入されている。
【００３８】
図１及び図２に示されるように、本実施の形態によるハウジング８０は、Ｘ方向に延びており、Ｘ方向における前端８０ｆ（即ち、−Ｘ側の端部）と後端８０ｒ（即ち、＋Ｘ側の端部）を有している。より具体的には、ハウジング８０は、Ｘ方向に延びる角筒形状の筒状部８２と、Ｘ方向と直交する面内において筒状部８２から突出したフランジ８４とを備えている。フランジ８４には、コネクタ１０を例えば機器（図示せず）に取り付けるための複数のネジ穴が形成されている。筒状部８２の後端８０ｒ近傍には、切欠き８６が形成されている。本実施の形態による筒状部８２は、切欠き８６に対応する部分を除いて、Ｘ方向と直交する平面内においてコネクタ１０全体を覆っており、ＥＭＩ（Electro Magnetic Interference）を効果的に防止することができる。
【００３９】
図１及び図６に示されるように、筒状部８２には、Ｘ方向に筒状部８２を貫通する貫通孔８７が形成されている。筒状部８２の内部には、Ｘ方向と直交する平面状の隔壁８８が形成されている。隔壁８８の中央部分には、インシュレータ４０の保護部材４２が通過可能な孔が形成されている。換言すれば、貫通孔８７は、隔壁８８によって、互いに連通する２つの穴に分割されている。
【００４０】
上記の２つの穴のうち−Ｘ側に位置する穴（即ち、−Ｘ側の穴）は、相手側コネクタ（図示せず）と嵌合する嵌合部として機能する。一方、＋Ｘ側に位置する穴（即ち、＋Ｘ側の穴）には、ホルダー５０が挿入されており、端子７４の上端部分は、筒状部８２の切欠き８６を通過して上方に延びている。換言すれば、ハウジング８０は、ホルダー５０を保持しており、筒状部８２の切欠き８６は、ホールＩＣ７０の端子７４に対応する場所に形成されている。本実施の形態によれば、＋Ｘ側の穴は、Ｘ方向と直交する平面内において、ホルダー５０の形状と対応する矩形形状を有しており、これによってコンタクト２０をネジ止めする際のホルダー５０の回転が防止されている。ホルダー５０の形状は例えば円盤形状であってもよい。但し、その場合には、ホルダー５０の回転を防止するための部位を備えることが好ましい。
【００４１】
図４及び図６に示されるように、隔壁８８の中央部分は＋Ｘ方向に窪んでおり、これにより窪み８９が形成されている。窪み８９は、インシュレータ４０の第２規制部４８と対応する形状に形成されており、第２規制部４８と窪み８９との係合によって、コンタクト２０をネジ止めする際のインシュレータ４０の回転が防止されている。換言すれば、本実施の形態によるインシュレータ４０には、Ｘ方向を中心軸とするインシュレータ４０の回転を規制する第２規制部４８が設けられている。更に、本実施の形態によるコネクタ１０は、第２規制部４８の回転を規制する部位（即ち、第２規制部４８と対応する部位である窪み８９）を備えている。
【００４２】
図２から理解されるように、本実施の形態によるコネクタ１０は、下記のように組み立てることができる。まず、ホルダー５０にホールＩＣ７０及びコア６０を取り付ける。次に、第２規制部４８が適切な位置に配置されるようにして、ハウジング８０にインシュレータ４０を前方から（即ち、＋Ｘ方向に沿って）取り付ける。次に、第１規制部２８が適切な位置に配置されるようにして、インシュレータ４０にコンタクト２０を前方から取り付ける。次に、コンタクト２０が保持孔５２を通過するようにして、ハウジング８０にホルダー５０を後方から（即ち、−Ｘ方向に沿って）取り付ける。次に、コンタクト２０のネジ２６にナット９０をねじ込み、これによりコネクタ１０全体を固定する。このとき、バスバー９２等の接続対象物を取り付けることができる。
【００４３】
上記の説明から理解されるように、本実施の形態によれば、コンタクト２０に接続する接続対象物を容易に交換することができる。従って、例えばコネクタ１０の用途に合わせて接続対象物を交換することができる。更に、本実施の形態によれば、ホルダー５０を容易に交換することができる。例えば、電流の測定精度に合わせてコア６０の材料を変更する場合、コア６０のサイズが変わることがある。本実施の形態によれば、このような場合でも、ハウジング８０やコンタクト２０等とのインタフェースを変更することなく、適切なコア６０及びホールＩＣ７０を備えた適切なホルダー５０に交換することができる。
【００４４】
図７に示されるように、保護部材４２は、Ｘ方向と直交する平面内においてコンタクト２０の後端部２４を取り囲んでいる。コア６０は、ギャップ６２を有すると共に、Ｘ方向と直交する平面内において保護部材４２を取り囲んでいる。ホールＩＣ７０の本体部７２は、ギャップ６２内に少なくとも部分的に配置されている。以上の構成から理解されるように、本実施の形態によるコネクタ１０は、コンタクト２０に流れる電流を検出する電流センサ機能を備えている。更に、コンタクト２０とコア６０との間に、絶縁性材料からなる保護部材４２が配置されているため、絶縁破壊が防止されている。
【００４５】
図６に示されるように、本実施の形態によるコンタクト２０は、Ｘ方向に沿って保持孔５２を貫通している。保護部材４２は、コア６０をコンタクト２０から隠すようにして保持孔５２に受容されている。より具体的には、保護部材４２は、Ｘ方向においてコア６０を超えて前方及び後方に突出している。従って、本実施の形態によれば、絶縁破壊をより確実に防止することができる。なお、本実施の形態によれば、コア６０全体が保持孔５２の内部に収容されている。より具体的には、ホルダー５０の前端（−Ｘ側の端）は、コア６０の前端（−Ｘ側の端）よりも、距離Ｇｐだけ−Ｘ方向に突出している。このように構成することで、コア６０とハウジング８０との接触が防止されている。但し、コア６０とハウジング８０とを接触させてもよい。
【００４６】
本実施の形態によれば、保護部材４２は、インシュレータ４０の一部である。また、インシュレータ４０は、Ｘ方向と直交する平面内においてコンタクト２０を取り囲むようにして、保護部材４２から前方に延びている。換言すれば、本実施の形態によるインシュレータ４０は、前端部２２から後端部２４に亘る広い範囲においてコンタクト２０を覆っている。従って、本実施の形態によれば、絶縁破壊及び短絡を更に確実に防止することができる。
【００４７】
（第２の実施の形態）
図８及び図９に示されるように、本発明の第２の実施の形態によるコネクタ集合体１５は、三相交流が流れるコネクタ集合体であり、２つのコネクタ１０′と、１つのコネクタ１０″と、絶縁性材料からなる１つのホルダー５０′と、１つの金属製のハウジング８０′とを備えている。コネクタ１０″は、Ｙ方向において２つのコネクタ１０′の間に位置している。
【００４８】
コネクタ１０′は、導電性材料からなるソケットコンタクト（コンタクト）３０と、絶縁性材料からなるインシュレータ４０′と、コア６０と、ホールＩＣ（電流検出部材）７０と、ナット９０とを備えている。本実施の形態によるコネクタ１０′は、コネクタ１０と同様に電流検出機能を備えている。更に、本実施の形態によれば、２つのコネクタ１０′によって測定された電流値により、コネクタ１０″を流れる電流値を計算することができる。このため、本実施の形態によるコネクタ１０″は、コンタクト３０と、インシュレータ４０′と、ナット９０とを備える一方、コア６０及びホールＩＣ７０（即ち、電流検出機構）を備えていない。但し、コネクタ１０″は電流検出機構を備えていてもよい。換言すれば、コネクタ集合体１５は、３つのコネクタ１０′を備えていてもよい。
【００４９】
図９に示されるように、コンタクト３０は、コンタクト２０と同様、Ｘ方向に沿って円柱状に長く延びており、Ｘ方向において前端部３２（即ち、−Ｘ側の端部）と後端部３４（即ち、＋Ｘ側の端部）とを有している。前端部３２の直径は、後端部３４の直径よりも大きい。また、コンタクト３０は、前端部３２に形成された第１規制部３８を有している。本実施の形態による第１規制部３８は、第１規制部２８と同様に、Ｘ方向を中心軸とするコンタクト３０の回転を規制するように構成されている。
【００５０】
図８及び図９から理解されるように、コンタクト３０の前端部３２は、相手側コネクタ（図示せず）の相手側コンタクト（図示せず）と接続される部位である。
【００５１】
図９及び図１０から理解されるように、コンタクト３０の後端部３４は、接続対象物と接続される部位である。詳しくは、コンタクト３０の後端部３４は、インシュレータ４０′及びホルダー５０′の内部を通過してコネクタ集合体１５の後方に向かって突出している。後端部３４にはネジ３６が形成されており、ナット９０によってコンタクト３０をインシュレータ４０′及びホルダー５０′に固定することができる。更に、ホルダー５０′とナット９０との間に接続対象物を挟み込むようにして、コンタクト３０の後端部３４を接続対象物に接続することができる。
【００５２】
図９に示されるように、インシュレータ４０′は、インシュレータ４０と同様に、Ｘ方向に延びる円筒形状を有している。詳しくは、インシュレータ４０′は、主部４１と、保護部材４２と、第２規制部４８とを有している。
【００５３】
図９に示されるように、インシュレータ４０′の内部には、コンタクト３０を収容する収容孔４４′が形成されている。収容孔４４′は、収容孔４４と同様に、インシュレータ４０′をＸ方向に貫通している。
【００５４】
図９から理解されるように、収容孔４４′のうち主部４１の内部に位置する部分の内径は、コンタクト３０の前端部３２の直径よりも大きい。一方、収容孔４４′のうち保護部材４２の内部に位置する部分の内径は、前端部３２の直径よりも小さく、コンタクト３０の後端部３４の直径よりも僅かに大きい。また、収容孔４４′の内部には、第２規制部４８と係合する部位が形成されている。従って、第１規制部３８を適切な位置に配置して、コンタクト３０の後端部３４を、＋Ｘ方向に沿って収容孔４４′に挿入すると、Ｘ方向を中心軸とするコンタクト３０の回転が規制される。
【００５５】
図９に示されるように、本実施の形態によるホルダー５０′は、Ｘ方向と直交する平面内において矩形形状を有している。ホルダー５０′には、２つのコネクタ１０′に夫々対応する２つの保持孔５２と、コネクタ１０″に対応する１つの保持孔５２′とが形成されている。保持孔５２′は、Ｙ方向において２つの保持孔５２の間に位置している。
【００５６】
図８及び図９に示されるように、本実施の形態によるハウジング８０′は、ハウジング８０と同様な形状に形成されており、Ｘ方向における前端８０ｆと後端８０ｒを有している。詳しくは、ハウジング８０′は、Ｘ方向に延びる角筒形状の筒状部８２′と、Ｘ方向と直交する面内において筒状部８２′から突出したフランジ８４′とを備えている。フランジ８４′には、コネクタ集合体１５を例えば機器（図示せず）に取り付けるための複数のネジ穴が形成されている。筒状部８２′の後端８０ｒ近傍には、２つの切欠き８６が形成されている。本実施の形態による筒状部８２′は、切欠き８６に対応する部分を除いて、Ｘ方向と直交する平面内においてコネクタ集合体１５全体を覆っており、ＥＭＩを効果的に防止することができる。
【００５７】
図８、図９、図１２及び図１３に示されるように、筒状部８２′には、筒状部８２と同様に、Ｘ方向に筒状部８２′を貫通する貫通孔８７′が形成されている。筒状部８２′の内部には、Ｘ方向と直交する平面状の隔壁８８′が形成されている。隔壁８８′の中央部分には、インシュレータ４０′の保護部材４２が夫々通過可能な３つの孔が形成されている。換言すれば、貫通孔８７′は、隔壁８８′によって、互いに連通する２つの穴に分割されている。貫通孔８７′の２つの穴のうち−Ｘ側に位置する穴は、相手側コネクタ（図示せず）と嵌合する嵌合部として機能する。一方、＋Ｘ側に位置する穴には、ホルダー５０′が挿入・保持されており、端子７４の上端部分は、筒状部８２′の切欠き８６を通過して上方に延びている。
【００５８】
図９から理解されるように、本実施の形態によるコネクタ集合体１５は、下記のように組み立てることができる。まず、ホルダー５０′の２つの保持孔５２の夫々にホールＩＣ７０及びコア６０を取り付ける。次に、第２規制部４８を適切な位置に配置して、ハウジング８０′に３つのインシュレータ４０′の夫々を前方から取り付ける。次に、第１規制部３８を適切な位置に配置して、３つのインシュレータ４０′に３つのコンタクト３０を前方から夫々取り付ける。次に、コンタクト３０が対応する保持孔５２又は保持孔５２′を通過するようにして、ハウジング８０′にホルダー５０′を後方から取り付ける。次に、コンタクト３０のネジ３６にナット９０を夫々ねじ込み、これによりコネクタ集合体１５全体を固定する。このとき、コンタクト３０に接続対象物（例えば、バスバー９２）を取り付けることができる。
【００５９】
第１の実施の形態及び本実施の形態によれば、第２規制部４８は、主部４１に形成されている。しかしながら、第２規制部４８は、保護部材４２に形成してもよい。例えば、保護部材４２を、Ｘ方向における全長に亘って平面状に形成して、第２規制部４８としてもよい。あるいは、保護部材４２の前端部（−Ｘ側の端部）の一部を平面形状に形成して、第２規制部４８を設けてもよい。但し、この場合、コネクタ１０（又は、コネクタ１０′）の第２規制部４８と対応する部位の形状も変更する必要がある。例えば、ハウジング８０（又は、ハウジング８０′）に、保護部材４２に形成された第２規制部４８と対応する形状の孔を備える必要がある。
【００６０】
上記の説明から理解されるように、本実施の形態によれば、第１の実施の形態と同様に、コンタクト３０と接続する接続対象物を容易に交換することができる。更に、ホルダー５０′を容易に交換することができる。
【００６１】
図１１及び図１３に示されるように、コネクタ１０′のコア６０及びホールＩＣ７０は、対応する保持孔５２に保持されている。コンタクト３０は、対応する保持孔５２又は保持孔５２′をＸ方向に貫通している。保護部材４２は、コア６０をコンタクト３０から隠すようにして、対応する保持孔５２又は保持孔５２′に受容されている。
【００６２】
図１１に示されるように、コネクタ１０′の保護部材４２は、Ｘ方向と直交する平面内においてコンタクト３０を取り囲んでいる。コネクタ１０′のコア６０は、ギャップ６２を有すると共に、Ｘ方向と直交する平面内において保護部材４２を取り囲んでいる。コネクタ１０′のホールＩＣ７０の本体部７２は、ギャップ６２内に少なくとも部分的に配置されている。以上の構成により、コネクタ１０′は、コンタクト３０に流れる電流を検出することができる。更に、コンタクト３０とコア６０との間に、絶縁性材料からなる保護部材４２が配置されているため、絶縁破壊が防止されている。
【００６３】
第１の実施の形態によるコンタクト２０はピンコンタクトであり、第２の実施の形態によるコンタクト３０はソケットコンタクトである。しかしながら、コンタクト２０はソケットコンタクトであってもよく、コンタクト３０はピンコンタクトであってもよい。更に、コンタクト２０及びコンタクト３０は、例えば板状のコンタクトであってもよい。
【００６４】
また、複数のコネクタを備えるコネクタ集合体は、三相交流用に限られない。例えば、夫々独立した電流を供給する２つ以上のコネクタを備える集合体であってもよい。
【符号の説明】
【００６５】
１０，１０′，１０″  コネクタ
１５            コネクタ集合体
２０            ピンコンタクト（コンタクト）
２２            前端部
２４            後端部
２６            ネジ
２８            第１規制部
３０            ソケットコンタクト（コンタクト）
３２            前端部
３４            後端部
３６            ネジ
３８            第１規制部
４０，４０′    インシュレータ
４１            主部
４２            保護部材
４４，４４′    収容孔
４６            凹部
４８            第２規制部
５０，５０′    ホルダー
５２，５２′    保持孔
５４            保持溝
５６            端子孔
５８            張出部
６０            コア
６２            ギャップ
７０            ホールＩＣ（電流検出部材）
７２            本体部
７４            端子
８０，８０′    ハウジング
８０ｆ          前端
８０ｒ          後端
８２，８２′    筒状部
８４，８４′    フランジ
８６            切欠き
８７，８７′    貫通孔
８８，８８′    隔壁
８９，８９′    窪み
９０            ナット
９２            バスバー
【図１】
0005435825.tif 000002
【図２】
0005435825.tif 000003
【図３】
0005435825.tif 000004
【図４】
0005435825.tif 000005
【図５】
0005435825.tif 000006
【図６】
0005435825.tif 000007
【図７】
0005435825.tif 000008
【図８】
0005435825.tif 000009
【図９】
0005435825.tif 000010
【図１０】
0005435825.tif 000011
【図１１】
0005435825.tif 000012
【図１２】
0005435825.tif 000013
【図１３】
0005435825.tif 000014
【図１４】
0005435825.tif 000015